(57)【要約】【課題】不所望な操作をより防止することができるカバー装置を提供する。【解決手段】消火設備を手動で起動させる手動起動装置９に付設されるカバー装置１であって、手動起動装置９を開閉可能に覆うように形成される扉部１１と、音声情報を記憶可能な記憶部１２８と、扉部１１が開状態とされた場合に記憶された音声情報による音声を出力するスピーカ１２２とを備えた。【選択図】図２
2020177329.tif 000002
【特許請求の範囲】
【請求項１】
消火設備を手動で起動させる手動起動装置に付設されるカバー装置であって、
前記手動起動装置を開閉可能に覆うように形成される扉部と、
音声情報を記憶可能な記憶部と、
前記扉部が開状態とされた場合に前記記憶された音声情報による音声を出力するスピーカとを備えるカバー装置。
【請求項２】
前記扉部が開状態とされた場合に前記カバー装置の外部に向けて点滅または点灯する発光部を更に備えることを特徴とする請求項１に記載のカバー装置。
【請求項３】
操作部材により押下可能に形成されたリセットスイッチを更に備え、
前記発光部は、前記リセットスイッチが押下された場合にのみ点滅または点灯を停止することを特徴とする請求項２に記載のカバー装置。
【請求項４】
前記扉部を開閉させるための取手であって、押下または接触を検知する検知部を有する取手部を更に備えることを特徴とする請求項１〜請求項３のいずれか一項に記載のカバー装置。
【請求項５】
前記扉部が閉状態である場合に前記手動起動装置を外部から視認可能に前記扉部に形成された窓部に設けられ、透光性を有する導光板と、
前記取手部において押下または接触が検知された場合、接触前記導光板の端部から光を照射する照射部とを更に備えることを特徴とする請求項４に記載のカバー装置。
【請求項６】
前記導光板には、前記照射部による照射光を反射して所定の形状を発光表示する発光表示部が形成されることを特徴とする請求項５に記載のカバー装置。
【請求項７】
前記発光表示部は、所定の文言を発光表示することを特徴とすることを特徴とする請求項６に記載のカバー装置。
【発明の詳細な説明】
【技術分野】
【０００１】
本発明の実施形態は、手動起動装置への不所望の操作を防止する技術に関する。
【背景技術】
【０００２】
防護区画や防護対象物に発生した火災の報知や、火災の消火を行うための消火剤の放出を指示するための手動起動装置（操作箱）は、その目的上、万人が操作可能に設置されていることが一般的である。そのため、手動起動装置には、悪意ある操作や誤操作などの不所望な操作を防止するカバー装置が設けられる。
【０００３】
この種のカバー装置としては、消火設備等の防護装置に対する手動起動用の操作箱に添えて取り付ける形状の枠部と、これに装着され操作箱の手前で開閉可能な扉部と、その開閉に応じて警告音を発する警告音発生部とを備える操作箱およびそのカバー装置、が知られている（例えば、特許文献１参照）。
【先行技術文献】
【特許文献】
【０００４】
【特許文献１】特開２００１−１０９９６５号公報
【発明の概要】
【発明が解決しようとする課題】
【０００５】
しかしながら、上述した操作箱およびそのカバー装置によれば、開閉に応じて発せられる警告音は電子ブザーによるブザー音であるため、このブザー音が何を意味するのかが明確でなく、不所望な操作を防止するには不十分である、という問題がある。
【０００６】
本発明は、上述した問題点を解決するためになされたものであり、不所望な操作をより防止することができるカバー装置を提供することを目的とする。
【課題を解決するための手段】
【０００７】
上述した課題を解決するため、本実施形態のカバー装置は、消火設備を手動で起動させる手動起動装置に付設されるカバー装置であって、前記手動起動装置を開閉可能に覆うように形成される扉部と、音声情報を記憶可能な記憶部と、前記扉部が開状態とされた場合に前記記憶された音声情報による音声を出力するスピーカとを備える。
【発明の効果】
【０００８】
本発明によれば、不所望な操作をより防止することができる。
【図面の簡単な説明】
【０００９】
【図１】実施形態に係るカバー装置の構成を示す斜視図である。
【図２】実施形態に係るカバー装置の構成を示す正面図である。
【図３】実施形態に係るカバー装置の構成を示す側面図である。
【図４】実施形態に係るカバー装置の構成を示す底面図である。
【発明を実施するための形態】
【００１０】
以下、図面を参照しながら、本発明の実施形態について説明する。
【００１１】
本実施形態に係るカバー装置の構成について説明する。図１〜図４は、それぞれ、本実施形態に係るカバー装置の構成を示す斜視図、正面図、側面図、底面図である。なお、本実施形態においては、手動起動装置が取り付けられる壁面側を背面、その逆側を正面とし、これらの面に垂直な方向を前後方向とし、前後方向及び上下方向に直交する方向を左右方向と称して以後説明を行う。
【００１２】
（カバー装置の構成）
図１〜図４に示すように、本実施形態に係るカバー装置１は、壁面Ｗに取り付けられた手動起動装置９を囲うように形成された枠部１０と、枠部１０に対して開閉可能に設けられた扉部１１と、警告を行う警告部１２と、警告部１２に電力を供給する電源部１３とを備える。ここで、手動起動装置９は、所定の防護区画への不活性ガスやハロゲン化物消火剤などの放射する消火設備を手動操作により起動させる装置とする。
【００１３】
枠部１０は、手動起動装置９を囲う枠体状に形成されて壁面Ｗに取り付けられる。扉部１１は、扉部１１に対して開閉可能に連結され、手動起動装置９における操作部を操作不能に覆うように形成される。本実施形態において、扉部１１は、横開き扉として形成されるものとする。
【００１４】
扉部１１は、図１に示すように、全体として一方の底面が開放された略箱状に形成され、底面を成す板部と板部の端部全域から板部の面外方向に突出するように形成された側壁部とを有し、扉部１１が閉状態とされた際に板部の平面が壁面Ｗと対向するとともに、側壁部が上下左右方向から枠部１０を取り囲むように形成される。なお、扉部１１は、作業員以外の者がカバー装置１を解体することを防止するため、表面上にネジなどの締結部材が配されないように構成されることが望ましい。
【００１５】
扉部１１の側壁部において左右方向に対向する２つの壁部のうち、一方の壁部は扉部１１が開閉可能となるように枠部１０に支持され、他方の壁部には扉部１１を開閉操作するための取手部１１１が設けられる（図１、図３参照）。この取手部１１１は、押しボタンまたはタッチセンサとして構成される。
【００１６】
扉部１１の板部には、扉部１１が閉状態とされた際に、手動起動装置９が視認可能に形成された開口である窓部が設けられる。この窓部には、透光性を有する板状部材である導光板１１２がはめ込まれ、導光板１１２は、例えば、ガラス板、アクリル樹脂、ナイロン樹脂などの素材からなる。また、扉部１１には、導光板１１２の端部に対して側方から光を照射する照射部１１３が設けられ、この照射部１１３には電源部１３によって電力が供給される。
【００１７】
図２に示すように、導光板１１２には、発光表示部１１２Ａが形成され、この発光表示部１１２Ａは、照射部１１３による照射光が透過しないように、即ち、反射するように形成されており、少なくとも正面側に照射光を反射するように形成される。発光表示部１１２Ａは、全体として文字を成すように形成されており、本実施形態においては、照射部１１３の発光により「消火用」という文言を発光表示する。なお、発光表示部１１２Ａは、様々な文章やイラスト、記号を発光表示するように形成されても良い。
【００１８】
発光表示部１１２Ａは、Ｖ字やＵ字、円弧状に窪むように形成されていることが好ましいが、入射された光を導光板１１２の正面側に反射射可能であればどのような形状であってもよい。また、このような発光表示部１１２Ａを形成する手法としては、レーザ加工に代表される陰刻や、インナーマーキング、又はサンドブラストに代表される表面研磨、及びこれらを組み合わせたもの等が挙げられる。なお、これらの加工は、発光表示されない通常待機の状態においては、その表示が人の目では認識できない程度になされるものとする。
【００１９】
取手部１１１は、照射部１１３と電気的に接続されており、取手部１１１への操作によって発光表示部１１２Ａによる発光表示がなされる。ここで、取手部１１１への操作とは、取手部１１１が押しボタンとして構成された場合はボタンの押下であり、取手部１１１がタッチセンサとして構成された場合はタッチセンサへの接触である。
【００２０】
扉部１１の側壁部において上下方向に対向する２つの壁部のうち、下方の壁部にはいずれも貫通穴として形成される２つの水抜き穴１１４ａ，１１４ｂが形成される。これらの水抜き穴１１４ａ，１１４ｂによれば、例えば、雨天などによる水濡れが生じた際にカバー装置１内における水の滞留を防止することができる。なお、２つの水抜き穴１１４ａ，１１４ｂのうち、一方の水抜き穴１１４ａは操作穴としての機能を兼ねるが、この点については後に詳述する。
【００２１】
扉部１１の板部の背面側には、扉部１１の開閉状態を検知する開閉センサが設けられる。この開閉センサは開閉状態を検知可能なものであれば良く、どのようなセンサ、スイッチを用いても良い。
【００２２】
（警告部の構成）
図２に示すように、警告部１２、電源部１３は、導光板１１２を挟んで左右方向に併設される。警告部１２は、箱状の筐体であり、扉部１１の板部と協働して直方体状の収容空間を画成する。この収容空間内には、電源スイッチ１２１、スピーカ１２２、リセットスイッチ１２３、発光部１２４、撮像部１２５、マイク１２６、制御部１２７、記憶部１２８が収容される。
【００２３】
電源スイッチ１２１は、後述する警告部１２による警告や、発光表示部１１２Ａによる発光表示を含むカバー装置１における全ての機能を停止または起動させるためのスイッチである。この電源スイッチ１２１は、扉部１１の裏面に設けられる警告部１２に配される（図１参照）。カバー装置１及び手動起動装置９の点検を行う作業員が操作するためのものであり、外部から視認しにくい位置に電源スイッチ１２１を配することによって、作業員以外の者が電源スイッチ１２１を操作することを防止することができる。
【００２４】
スピーカ１２２は、不揮発性の記憶装置である記憶部１２８に記憶された音声を出力することにより警告を発する。記憶部１２８に記憶される音声は、マイク１２６を用いて録音して書き換えることができる。このマイク１２６は、収容空間内に収容されるＩＣ基板に直接取り付けられており、箱状の筐体としての警告部１２のカバーを扉部１１から外した場合にのみ、基板上の録音開始／録音停止スイッチを操作し、スピーカ１２２により出力させる音声を書き換えることができるようになっている。記憶部１２８には、例えば、火災が発生していない場合には扉部１１を閉状態とすることを催す警告音声が記憶される。なお、記憶部１２８は、接続されたテープレコーダによる出力音声を記憶することもできる。
【００２５】
発光部１２４は、例えばＬＥＤとして構成され、予め設定されたパターンによる点滅または点灯により警告を発する。発光部１２４による点滅パターンは、その発光秒数や間隔、明るさ等をさまざまに設定することができる。撮像部１２５は、撮像画像として静止画または動画を撮像し、撮像画像は記憶部１２８’に記憶される。扉部１１の板部には、発光部１２４、撮像部１２５のそれぞれに対応する発光窓部１１６、撮像窓部１１７が形成され、発光部１２４は発光窓部１１６を介してカバー装置１の外部に向けて発光し、撮像部１２５は撮像窓部１１７を介してカバー装置１の外部を撮像する。
【００２６】
リセットスイッチ１２３は、図２、図４に示されるように、警告部１２の底部において、下方からのみ押下可能に設けられるスイッチである。図４に示すように、水抜き穴１１４ａは、リセットスイッチ１２３の真下に位置するように形成されており、これによって、水抜き穴１１４ａはリセットスイッチ１２３を押下するための操作穴としての機能を兼ねる。リセットスイッチ１２３は、棒状に形成された剛性部材である操作棒２によって押下可能となっており、この際、操作棒２は水抜き穴１１４ａを介して外部からカバー装置１内部へ挿入される。
【００２７】
制御部１２７は、開閉センサ１１５により扉部１１が開状態とされた場合に、スピーカ１２２に音声を出力させ、発光部１２４に点滅／点灯させ、撮像部１２５に撮像させる。また、制御部１２７は、開状態とされた後に扉部１１が閉状態とされた場合にスピーカ１２２による音声の出力、撮像部１２５による撮像を停止させるが、発光部１２４による点滅／点灯を一部停止させないことで扉が開状態となったことを表示する。制御部１２７は、リセットスイッチ１２３が押下された場合にのみ、発光部１２４による点滅／点灯を全て停止させる。
【００２８】
リセットスイッチ１２３は、上述したように外部からの容易に視認できない位置に設けられ、また、その押下に操作棒２を要するため、作業員以外の者が扉部１１を開状態とした場合、発光部１２４の点滅／点灯を停止することができない。これによって、扉部１１が開状態とされたことを容易に把握することができる。
【００２９】
上述したように、本実施形態に係るカバー装置１によれば、警告意図が明確な音声を出力することができるため、例えばブザー音などの警報を出力する場合と比較して、不所望な操作をより防止することができる。なお、上述したカバー装置１は、手動起動装置９とは別体として構成されるものとしたが、扉部１１を手動起動装置９に対して手動起動装置９に直接に連結し、手動起動装置９の一部として構成されても良い。この際、カバー装置１における枠部１０は省略されても良い。
【００３０】
本発明の実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３１】
１  カバー装置
９  手動起動装置
１１  扉部
１２２  スピーカ
１２８  記憶部
【図１】
2020177329.tif 000003
【図２】
2020177329.tif 000004
【図３】
2020177329.tif 000005
【図４】
2020177329.tif 000006